(57)【要約】【課題】  発光部筐体の起立動作によって、可動部に備えられた復帰部に衝撃力が加えられても、この衝撃力が弱められるようにしたストロボ装置を提供する。【解決手段】  表面側に収納部３２を有するベース部材２９と、該ベース部材２９に支点３３によって取り付けられ、前記収納部３２内に収納された姿勢と収納部３２から突出して起立した姿勢とに揺動し、リブ３５を備えた発光部筐体３０と、ベース部材２９の裏面上を摺動する可動部としてのスライド部材３８と、該スライド部材３８上を摺動するスライド押さえ板４１と、発光部筐体３０を収納部３２内に収納した状態に係止する係止レバー４３と、係止レバー４３の方から離隔したスライド部材３８を係止レバー４３の方へ戻す復帰部としての復帰レバー３９と、前記リブ３５が復帰レバー３９に当接するときに、衝撃力を弱める緩衝用バネ４０とを備えている。【選択図】  図１
2005301015.tif 000002
【特許請求の範囲】
【請求項１】
ソレノイドをＯＦＦすることにより固定されＯＮすることにより移動可能となる可動部と、前記可動部に当接する当接部と発光部筐体を係止する係止部とを備えた係止レバーと、前記可動部が固定されることで前記係止レバーにより係止されて収納状態とされ、前記可動部が移動可能となることで前記係止レバーの係止を解除するための付勢により起立する発光部筐体と、前記発光部筐体の起立動作により前記ソレノイドを可動鉄心が吸着され前記可動部を固定する位置に復帰させる復帰部とを備え、前記可動部は一端に前記当接部と当接し付勢により可動部を移動させることなく摺動可能な押さえ部材を備えたポップアップ型のストロボ装置であって、
前記復帰部はダンパ機構を備え、前記可動部に取り付けられていることを特徴とするストロボ装置。
【請求項２】
前記ダンパ機構は、緩衝用バネとして圧縮コイルバネで形成され、前記復帰部は揺動可能に前記可動部に取り付けられていることを特徴とする請求項１に記載のストロボ装置。
【請求項３】
前記ダンパ機構は、緩衝用バネとして捩りバネで形成され、前記復帰部は摺動可能に前記可動部に取り付けられていることを特徴とする請求項１に記載のストロボ装置。
【発明の詳細な説明】
【技術分野】
【０００１】
本発明は、放電管などを備えた発光部筐体や、この発光部筐体を揺動可能に取り付けるベース部材などを備えたストロボ装置に関し、詳しくは、ストロボを使用しないときには発光部筐体をベース部材の収納部内に収納し、使用するときには発光部筐体をベース部材の収納部から突出させて起立姿勢とするストロボ装置に関する。
【背景技術】
【０００２】
カメラなどに内蔵されるストロボ装置としては、例えば、放電管などを備えた発光部筐体が非使用時にベース部材の収納部内に収納され、使用時にのみベース部材の収納部から突出するようにしたものが提案されている（例えば、特許文献１参照）。
【０００３】
このようなストロボ装置は、図７に示すように、発光部筐体１が収納状態にあるときに、スイッチＯＮによって自己保持型のソレノイド２が通電されると、可動鉄心３を保持していた磁力がゼロとなり、バネ４の図示時計回りの回動付勢力で、可動鉄心３が図示左方向に突出する。
【０００４】
このとき、緊定レバー５の下部が可動鉄心３に押されるため、緊定レバー５は、バネ６の引張り付勢力に抗して軸７を中心に図示時計回りに傾倒し、これにより、図８に示すように、発光部筐体１の係合部８に対する緊定レバー５上部のラッチが解除され、バネ９の回動付勢力によって、図９に示すように、発光部筐体１がベース部材から立ち上がって起立した姿勢となる。すると、図１０に示すように、発光部筐体１の下部に当接してバネ保持レバー４ａを押し下げていたピン１０がバネ４の回動付勢力によって上方に押し上げられるため、バネ保持レバー４ａはフリーになり、可動鉄心３を左方向に押すバネ４の回動付勢力が消失する。
【０００５】
その結果、発光部筐体１は、バネ６の引張り付勢力によって、緊定レバー５がバネ４の回動付勢力に抗して図示反時計回りに回動して、図１０に示すような起立状態となる。このとき、可動鉄心３は、図示右方向に押されてソレノイド２の磁力によって保持される。この状態で、ストロボ機能を使用する。使用後は、発光部筐体１を指で押し下げることで、再び、図７に示す収納状態に戻すことができる。
【０００６】
しかし、このようなストロボ装置にあっては、緊定レバー５に作用する２つのバネ４，６の付勢力の釣り合い条件の設定が大変難しく、かつ、部品点数も増えるという問題がある。そこで、例えば、図１１および図１２に示すようなストロボ装置も提案されている。
【０００７】
このストロボ装置は、放電管（図示せず）などを備えた発光部筐体１１がベース部材１２に設けられた収納部１３内に収納した状態と突出した状態とに揺動するようにしたものであるが、発光部筐体１１を収納部１３内に係止させる緊定レバーを付勢するためのバネを単一としている。
【０００８】
すなわち、発光部筐体１１が収納部１３内から突出して、起立姿勢となるように付勢するためのつる巻き捩りバネ１４の各端部が発光部筐体１１とベース部材１２とに取り付けられている。そして、ベース部材１２の裏面にスライド部材１５が摺動可能に重ね合わされ、さらに、このスライド部材１５上にスライド押さえ板１６が摺動可能に重ね合わされている。スライド押さえ板１６の２か所には長孔１７，１７が形成され、この長孔１７，１７からベース部材１２に２つの押さえネジ１８，１８が締められ、スライド押さえ板１６がスライド部材１５上で摺動することができるようにされている。
【０００９】
さらに、スライド押さえ板１６の中間部には開口部が形成され、この開口部内に引張りバネ１９が配置されている。引張りバネ１９の一端はスライド部材１５に取り付けられ、他端はスライド押さえ板１６に取り付けられ、スライド押さえ板１６が図示左方向に移動しても、図示右方向に戻るようにされている。
【００１０】
そして、スライド部材１５の一端が、自己保持型のソレノイド２０の可動鉄心２１に連結されている。このソレノイド２０は、通常、すなわち、スイッチがＯＦＦの状態において、可動鉄心２１を磁力によって保持し、スライド部材１５がつる巻き捩りバネ１４のバネ力に抗して図示右側に位置するようにしている。このソレノイド２０が可動鉄心２１を保持する力は引張りバネ１９の張力よりも大きく設定している。このとき、スライド押さえ板１６の一端側の押圧部が引張りバネ１９のバネ力により、係止レバー２２の当接部２３を押圧することにより、係止レバー２２の鉤形の係止部２４が発光部筐体１１の窪んだ係合部２５に係止し、発光部筐体１１が収納部１３内に収納された状態を維持する。
【００１１】
そして、スイッチがＯＮされると、ソレノイド２０は磁力がなくなり、可動鉄心２１を保持しなくなる。すると、スライド部材１５およびスライド押さえ板１６が図示左方向に移動可能となり、つる巻き捩りバネ１４のバネ力により、発光部筐体１１が係止レバー２２の係止部２４を押しのけて収納部１３内から飛び出し、起立した姿勢となり、ストロボ機能を使用することができる。
【００１２】
発光部筐体１１が完全に起立姿勢となる直前において、発光部筐体１１の支点２６付近に設けられたリブ２７が、スライド部材１５に突設された復帰レバー２８に当接することにより、スライド部材１５とスライド押さえ板１６とが図示右方向に移動し、スライド押さえ板１６の押圧部が係止レバー２２の当接部２３を押圧することにより、係止レバー２２が起立した姿勢とされる。
【００１３】
そして、ストロボ装置を使用した後は、発光部筐体１１を指で押し下げることで、再び、収納部１３内に収納された状態（図示せず）に戻すことができる。発光部筐体１１が完全に収納状態となる直前において、係止レバー２２の係止部２４が発光部筐体１１の端部に押圧されて、係止レバー２２が傾倒するとともにスライド押さえ板１６が図示左方向に押圧されるが、この押圧は引張りバネ１９により吸収され、引張りバネ１９の張力よりも大きい磁力のソレノイド２０からは可動鉄心２１が外れないようになっている。発光部筐体１１が完全に収納されると、引張りバネ１９によってスライド押さえ板１６が図示右方向に押圧され、スライド押さえ板１６の押圧部が係止レバー２２の当接部２３を押圧し、係止レバー２２が起立姿勢とされることにより、係止レバー２２の係止部２４が発光部筐体１１の係合部２５に係止し、発光部筐体１１は、収納部１３内に収納された状態を維持する。
【特許文献１】特開平７−３６０９５号公報
【発明の開示】
【発明が解決しようとする課題】
【００１４】
図１１および図１２に示す従来のストロボ装置にあっては、発光部筐体１１が起立姿勢となるときに、スライド部材１５とスライド押さえ板１６とが図示左方向に移動するが、発光部筐体１１が完全に起立姿勢となる直前において、発光部筐体１１のリブ２７がスライド部材１５に突設された復帰レバー２８に当接することにより、スライド部材１５とスライド押さえ板１６とが図示右方向に戻り、ソレノイド２０に可動鉄心２１が戻るようにされている。
【００１５】
発光部筐体１１は、つる巻き捩りバネ１４のバネ力によって起立姿勢となるため、リブ２７は、勢いよく復帰レバー２８に衝突する。しかし、復帰レバー２８は、スライド部材１５に一体的に突設されているため、疲労破壊するおそれがあり、リブ２７が度重なって衝突することにより、破損することが懸念される。
【００１６】
また、このような破損のおそれを軽減するために、ソレノイド２０に可動鉄心２１が戻るタイミングを、発光部筐体１１が起立姿勢となるタイミングと同時に設定し、復帰レバー２８への負荷を分散し軽減していた。しかし、製作上のばらつきにより、このような設定を確実に実現するのは難しく、ソレノイド２０の吸着不良の原因になるおそれがある。
【００１７】
そこで、本発明は、発光部筐体に設けられたリブによって、スライド部材に備えられたレバーに衝撃力が加えられても、この衝撃力が弱められるようにしたストロボ装置を提供することを課題とする。
【課題を解決するための手段】
【００１８】
本発明に係るストロボ装置は、ソレノイドをＯＦＦすることにより固定されＯＮすることにより移動可能となる可動部と、前記可動部に当接する当接部と発光部筐体を係止する係止部とを備えた係止レバーと、前記可動部が固定されることで前記係止レバーにより係止されて収納状態とされ、前記可動部が移動可能となることで前記係止レバーの係止を解除するための付勢により起立する発光部筐体と、前記発光部筐体の起立動作により前記ソレノイドを可動鉄心が吸着され前記可動部を固定する位置に復帰させる復帰部とを備え、前記可動部は一端に前記当接部と当接し付勢により可動部を移動させることなく摺動可能な押さえ部材を備えたポップアップ型のストロボ装置であって、前記復帰部はダンパ機構を備え、前記可動部に取り付けられていることを特徴としている。
【００１９】
本発明によれば、復帰部がダンパ機構を備えた状態で可動部に取り付けられているので、発光部筐体の起立動作に伴い復帰部に強い衝撃が加わっても、その衝撃がダンパ機構により弱められ、復帰部の疲労破壊を防止することができる。
【００２０】
前記ストロボ装置において、前記ダンパ機構は、緩衝用バネとして圧縮コイルバネで形成され、前記復帰部は揺動可能に前記可動部に取り付けられていてもよい。
【００２１】
このストロボ装置によれば、ダンパ機構の緩衝用バネとして圧縮コイルバネを用いており、復帰部が可動部に対して摺動可能となっているので、駆動機構の薄形化を図ることができる。
【００２２】
前記ストロボ装置において、前記ダンパ機構は、緩衝用バネとして捩りバネで形成され、前記復帰部は摺動可能に前記可動部に取り付けられていてもよい。
【００２３】
このストロボ装置によれば、ダンパ機構の緩衝用バネとして捩りバネを用いており、復帰部が可動部に対して揺動可能となっているので、駆動機構を簡素化することができる。
【発明の効果】
【００２４】
本発明によれば、可動部に備えられた復帰部は、発光部筐体が起立動作に伴い衝突しても、ダンパ機構によって勢いが弱められる。また、これにより、ソレノイドの吸着不良の心配がなくなる。したがって、発光部筐体が復帰部に衝突しても、復帰部には衝撃力が加えられず、本発明は、長寿命化を図った高品質なストロボ装置を提供することができる。
【発明を実施するための最良の形態】
【００２５】
（実施の形態１）
本発明に係るストロボ装置の第１の実施形態について図１ないし図４を参照しながら説明する。このストロボ装置は、ベース部材２９、発光部筐体３０、スライド部材３８、スライド押さえ板４１、係止レバー４３、そしてソレノイド４４を備えている。
【００２６】
ベース部材２９には、発光部筐体３０を埋め込む状態に収納する収納部３２が表面側に設けられている。
【００２７】
発光部筐体３０は、閃光放電管（図示せず）などを備え、ベース部材２９の収納部３２内に収納された姿勢と、ベース部材２９の収納部３２から突出して起立した姿勢とに揺動することができるように支点３３によってベース部材２９に取り付けられ、つる巻き捩りバネのようなエネルギ蓄積バネ（以下、「捩りバネ」という。）３４によって起立姿勢となるように付勢されている。また、発光部筐体３０は、支点３３側が一部分を縮径されることによって当接面を形成したリブ３５が設けられている。さらに、発光部筐体３０の先端側には、窪んだ形状の係合部３６が設けられている。係合部３６が窪んだ形状とされることにより、発光部筐体３０がベース部材２９の収納部３２内に容易に収納されるが、収納部３２の形状を変形させることにより、係合部３６は突出した形状などとすることもできる。
【００２８】
また、発光部筐体３０のリブ３５と対向する部位のベース部材２９には、貫通穴３７が形成されている。
【００２９】
スライド部材３８は、請求項に記載の可動部であり、前記ベース部材２９の裏面上を摺動するように重ね合わされている。このスライド部材３８は、前記収納された姿勢の発光部筐体３０の支点３３側と先端側の各方向に往復動する。
【００３０】
このスライド部材３８の表面（ベース部材２９と重なり合う面）には、前記ベース部材２９の貫通穴３７から突出し、前記リブ３５と接離する復帰レバー３９が備えられている。この復帰レバー３９は、請求項に記載の復帰部であり、スライド部材３８の表面に対して摺動可能に取り付けられ、スライド部材３８が往復動すると、貫通穴内で往復動する。したがって、貫通穴３７は、復帰レバー３９が往復動するストロークの長さに形成されている。
【００３１】
そして、スライド部材３８は、支点３３側（図示左方向）に位置した状態で、発光部筐体３０のリブ３５が復帰レバー３９によって当接することにより、先端側（図示右方向）に移動する。このとき、発光部筐体３０のリブ３５が復帰レバー３９に衝突するときの衝撃力を弱めるためのダンパ４０が、スライド部材３８に形成された長孔内に配置されている。このダンパ４０は、圧縮コイルバネが使用され（以下、「緩衝用バネ」という。）、一端が復帰レバー３９の基端部に係止し、他端部がスライド部材３８と係合し、復帰レバー３９を図示左方向に付勢している。このような緩衝用バネ４０は、復帰レバー３９側のほぼ半分がカバー４５によって覆われている。
【００３２】
このようなスライド部材３８の裏面には、スライド押さえ板４１が摺動可能に重ね合わされている。スライド押さえ板４１は、請求項に記載の押さえ部材であり、両端部に長孔４６，４６が形成され、押さえネジ４７，４７がこの長孔４６，４６からベース部材２９に締められ、スライド押さえ板４１がスライド部材３８と同一方向に往復動するようにされている。さらに、スライド押さえ板４１の中間部には、長方形状の開口部４８が形成され、この開口部４８内に引張りバネのようなスライドバネ４２が配置されている。このスライドバネ４２の一端部はこの開口部４８内に突出しているスライド部材３８の突起に係止され、他端部は、スライド押さえ板４１の他端側に係止されることにより、スライド押さえ板４１が一端側（図示右方向）に付勢されている。
【００３３】
また、スライド部材３８の一方の端部には、スライド押さえ板４１の方に突出する凸条４９が設けられ、スライド押さえ板４１の一方の端部は、この凸条４９に係止される折曲げ端部５０が上向きコ字形に形成され、折曲げ端部５０の先端部が押圧部５１とされている。
【００３４】
この押圧部５１に押圧される当接部５２が係止レバー４３の一端部に設けられている。係止レバー４３は、揺動可能にベース部材２９に取り付けられ、当接部５２がスライド押さえ板４１の押圧部５１に押圧されることにより、他端部に設けられた係止部５３が発光部筐体３０の係合部３６に係止するようにされている。
【００３５】
そして、係止レバー４３の係止部５３が発光部筐体３０の係合部３６に係止した状態を維持するためのソレノイド４４がベース部材２９の裏面に取り付けられている。ソレノイド４４は、自己保持型で、突出・退入する可動鉄心５４が磁力により、スイッチ（図示せず）ＯＦＦの通常のときに、退入した状態に保持されている。ソレノイド４４の磁力は、捩りバネ３４およびスライドバネ４２の付勢力よりも強く設定されている。可動鉄心５４の先端部には、長孔（図示せず）が設けられ、この長孔内にスライド部材３８の他端部に形成された突起５５（図４参照）が係入する。このソレノイド４４は、スイッチ（図示せず）がＯＮされると、磁力がなくなり、可動鉄心５４が捩りバネ３４のバネ力によって突出するようにされている。
【００３６】
このストロボ装置は、このように構成され、次に動作について説明する。まず、図１に示すように、発光部筐体３０が収納部３２内に収納されている状態においては、ソレノイド４４は可動鉄心５４を退入した状態に保持し、スライド部材３８が一端側に位置している。このとき、スライドバネ４２がスライド押さえ板４１を図示右方向に引っ張ることにより、スライド押さえ板４１の押圧部５１が係止レバー４３の当接部５２を押圧する。すると、係止レバー４３が起立姿勢となり、係止部５３が発光部筐体３０の係合部３６を係止することにより、発光部筐体３０は、捩りバネ３４のバネ力に抗して収納部３２内に収納された状態を維持する。そのため、スライドバネ４２は捩りバネ３４よりも強い付勢力を有する。
【００３７】
そして、スイッチがＯＮされると、ソレノイド４４の磁力がなくなり可動鉄心５４の吸着が解かれフリーとなる。すると、スライド部材３８およびスライド部材押さえ板４１が図示左側に摺動可能となり、係止レバー４３が図示時計回りに傾倒可能となる。したがって、発光部筐体３３の起立動作に伴い係止レバー４３が押しのけられて図示時計回りに傾倒し、係止部５３が発光部筐体３０の係合部３６から外れ、発光部筐体３０は捩りバネ３４のバネ力によって収納部３２内から立ち上がる。このとき、スライド部材３８およびスライド押さえ板４１は図示左側に摺動し、可動鉄心５４がソレノイド４４から外れる。
【００３８】
発光部筐体３０は、起立姿勢となる途中において、リブ３５が図２に示すように、復帰レバー３９に当接し、スライド部材３８が図示右方向に移動し、スライドバネ４２によってスライド押さえ板４１も図示右方向に移動する。これにより、スライド押さえ板４１の押圧部５１が係止レバー４３の当接部５２を押圧し、係止レバー４３が起立姿勢となるとともに、スライド部材３８に取り付けられた可動鉄心５４がソレノイド４４に退入され、スライド部材３８はソレノイド４４の磁力によって保持された状態となる。
【００３９】
ここで、発光部筐体３０のリブ３５が復帰レバー３９に当接するとき、復帰レバー３９は、緩衝用バネ４０によりリブ３５から加えられる衝撃力が緩衝されるようになっている。また、発光部筐体１１の起立動作において、ソレノイド４４に可動鉄心５４が吸着するタイミングは、発光部筐体１１が完全に起立するタイミングよりも前に設定されている。これにより、復帰レバー３９に負荷が集中し破損する心配がなくなるとともに、製作時にわずかなばらつきが生じても、ソレノイド４４の吸着不良の心配がなくなる。そして、発光部筐体３０は、完全に起立姿勢となって、ストロボ装置を使用できる状態となる。
【００４０】
ストロボ装置を使用した後は、指で発光部筐体３０を収納部３２の方に押し付ける。すると、発光部筐体３０は、完全に収納される直前において、係止レバー４３の係止部５３を押圧し、係止レバー４３が図示時計回りに傾倒することにより、当接部５２がスライド押さえ板４１の押圧部５１を押圧し、スライドバネ４２が伸張される。そして、発光部筐体３０が収納部３２内に完全に収納されると、スライドバネ４２のバネ力によって、係止レバー４３の当接部５２がスライド押さえ板４１の押圧部５１によって押圧され、係止レバー４３が直立姿勢となる。すると、発光部筐体３０は、図１に示すように、係合部３６が係止レバー４３の係止部５３に係止されることにより、収納部３２内に収納された状態が維持される。
（実施の形態２）
本発明に係るストロボ装置の第２の実施形態について図５および図６を参照しながら説明する。この第２の実施形態におけるストロボ装置は、基本的に第１の実施形態と同じであるが、ダンパ５６として、つる巻き捩りバネを採用し、このため、復帰レバー５７が揺動可能なものとされている構成が第１の実施形態と異なっている。
【００４１】
つる巻き捩りバネの緩衝用バネ５６は、一端部がスライド部材３８に係止され、他端部が復帰レバー５７に係止されている。そして、復帰レバー５７は、スライド部材３８の裏面に突出した突出部５８に軸支されている。この復帰レバー５７は、この緩衝用バネ５６により、通常、起立姿勢となるように付勢されている。したがって、第２の実施形態は、第１の実施形態よりも簡易な構成とすることができる。
【００４２】
このような緩衝用バネ５６にあっては、発光部筐体３０が立ち上がり、リブ３５が復帰レバー５７に当接するとき、緩衝用バネ５６によって衝撃力が弱められる。その他の構成および動作は、第１の実施形態と同じであるため、説明は省略する。
【００４３】
なお、本発明は、前記の２つの実施形態に限定することなく特許請求の範囲に記載した技術的事項の範囲内において種々変更することができる。例えば、ダンパは、緩衝用バネに替え、弾力性に富んだゴムなどを使用することもできる。
【産業上の利用可能性】
【００４４】
本発明に係るストロボ装置は、発光部筐体が起立動作に伴い可動部に備えられた復帰部に衝突しても、ダンパ機構によって復帰部が破損しないようにされているため、このストロボ装置を備えているカメラなどに有用である。
【図面の簡単な説明】
【００４５】
【図１】本発明に係るストロボ装置の第１の実施形態であって、発光部筐体が収納部内に収納されている状態の、（ａ）は正面図、（ｂ）は底面図
【図２】本発明に係るストロボ装置の第１の実施形態であって、発光部筐体が収納部内から突出している途中の状態の、（ａ）は正面図、（ｂ）は底面図
【図３】本発明に係るストロボ装置の第１の実施形態であって、発光部筐体が収納部から突出し、完全に起立している状態の、（ａ）は正面図、（ｂ）は底面図
【図４】本発明に係るストロボ装置の第１の実施形態であって、ストロボ装置を構成している駆動機構の要部斜視図
【図５】本発明に係るストロボ装置の第２の実施形態の正面図
【図６】本発明に係るストロボ装置の第２の実施形態の要部正面図
【図７】従来のストロボ装置の初期状態の説明図
【図８】同じく、従来のストロボ装置における発光部筐体の係止状態を解除した状態の説明図
【図９】同じく従来のストロボ装置における発光部筐体を突出させた状態の説明図
【図１０】同じく、従来のストロボ装置における発光部筐体を収納する前の状態の説明図
【図１１】前記と異なる従来のストロボ装置の正面図
【図１２】同じく、従来のストロボ装置の底面図
【符号の説明】
【００４６】
２９  ベース部材
３０  発光部筐体
３２  収納部
３３  支点
３４  エネルギ蓄積バネ（捩りバネ）
３５  リブ
３６  係合部
３７  貫通穴
３８  スライド部材
３９  復帰レバー
４０  ダンパ（緩衝用バネ）
４１  スライド押さえ板
４２  スライドバネ
４３  係止レバー
４４  ソレノイド
５６  ダンパ（緩衝用バネ）
５７  復帰レバー
【図１】
2005301015.tif 000003
【図２】
2005301015.tif 000004
【図３】
2005301015.tif 000005
【図４】
2005301015.tif 000006
【図５】
2005301015.tif 000007
【図６】
2005301015.tif 000008
【図７】
2005301015.tif 000009
【図８】
2005301015.tif 000010
【図９】
2005301015.tif 000011
【図１０】
2005301015.tif 000012
【図１１】
2005301015.tif 000013
【図１２】
2005301015.tif 000014